(57)【要約】【課題】電子機器において、接続されない回線等で送信されるメッセージを簡易に取得したいという要求があり、これに対応することが課題となっていた。【解決手段】実施形態の情報機器は、メッセージを受信するメッセージ受信部を備える。また、電子機器と無線接続する無線接続部を備える。また、前記電子機器から前記メッセージの送信要求を受信した場合に、予め設定されテーブルを用い、前記電子機器のメッセージ処理能力を検出する処理能力検出部を備える。また、前記検出されたメッセージ処理能力に応じたメッセージを前記電子機器に向けて出力する出力部を備える。【選択図】  図２
2012129882.tif 000002
【特許請求の範囲】
【請求項１】
メッセージを受信するメッセージ受信部と、
電子機器と無線接続する無線接続部と、
前記電子機器から前記メッセージの送信要求を受信した場合に、予め設定されテーブルを用い、前記電子機器のメッセージ処理能力を検出する処理能力検出部と、
前記検出されたメッセージ処理能力に応じたメッセージを前記電子機器に向けて出力する出力部を備える情報機器。
【請求項２】
前記電子機器に向けて出力されるメッセージは、前記無線接続で送信される請求項１に記載の情報機器。
【請求項３】
前記電子機器に向けて出力されるメッセージは、Ｆａｘメッセージまたは留守電メッセージのいずれかを含む請求項１に記載の情報機器。
【請求項４】
前記受信されたメッセージは、前記情報機器に接続された第２の電子機器に記憶され、前記メッセージの送信要求に応じて前記電子機器に向けて出力する請求項１に記載の情報機器。
【請求項５】
前記受信されたメッセージを記憶する記憶部を備え、前記メッセージの送信要求に応じて前記記憶されたメッセージを前記電子機器に向けて出力する請求項１に記載の情報機器。
【請求項６】
前記予め設定されたテーブルは、前記電子機器が無線接続される際に作成される請求項１に記載の情報機器。
【請求項７】
請求項１に記載の情報機器と無線接続し、前記出力部から出力された前記メッセージを受信して出力するメッセージ出力部を備える前記電子機器。
【請求項８】
メッセージを受信するステップと、
電子機器と無線接続するステップと、
前記電子機器から前記メッセージの送信要求を受信した場合に、予め設定されテーブルを用い、前記電子機器のメッセージ処理能力を検出するステップと、
前記検出されたメッセージ処理能力に応じたメッセージを前記電子機器に向けて出力するステップを備える情報機器の制御方法。
【発明の詳細な説明】
【技術分野】
【０００１】
本発明の実施形態は、情報機器、電子機器および情報機器の制御方法に関する。
【背景技術】
【０００２】
近年、無線接続可能な電子機器が普及している。
また、例えば公衆電話回線と接続される情報機器は、公衆電話回線で送信されるＦａｘメッセージや留守番電話メッセージ（以下留守電メッセージ）等のメッセージを取得することが可能である。
【０００３】
しかし、公衆電話回線と接続されない電子機器は、公衆電話回線で送信されるメッセージ（Ｆａｘメッセージや留守電メッセージ等）を簡易に取得することができなかった。
【０００４】
このため、公衆電話回線等と接続されない電子機器においても、公衆電話回線等で送信されるメッセージを簡易に取得したいという要求があり、これに対応することが課題となっていた。
【先行技術文献】
【特許文献】
【０００５】
【特許文献１】特開２００８−３０１１７７号公報
【発明の概要】
【発明が解決しようとする課題】
【０００６】
電子機器において、接続されない回線等で送信されるメッセージを簡易に取得したいという要求があり、これに対応することが課題となっていた。
【課題を解決するための手段】
【０００７】
実施形態の情報機器は、メッセージを受信するメッセージ受信部を備える。
また、電子機器と無線接続する無線接続部を備える。
また、前記電子機器から前記メッセージの送信要求を受信した場合に、予め設定されテーブルを用い、前記電子機器のメッセージ処理能力を検出する処理能力検出部を備える。
【０００８】
また、前記検出されたメッセージ処理能力に応じたメッセージを前記電子機器に向けて出力する出力部を備える。
【図面の簡単な説明】
【０００９】
【図１】実施形態の情報機器にかかるシステム構成の一例を示す図。
【図２】実施形態の情報機器に電子機器がＷｉ−Ｆｉ接続されるシステム構成の一例を示す図。
【図３】実施形態の情報機器（クレードル）の構成の一例を示すブロック図。
【図４】実施形態の情報機器にＷｉ−Ｆｉ接続される電子機器のメッセージ表示の一例を示す図。
【図５】実施形態の情報機器（クレードル）において作成されるテーブルの一例を示す図。
【図６】実施形態の情報機器にＷｉ−Ｆｉ接続される電子機器（Pad）において行われるメッセージ（Ｆａｘ／留守電）受信処理の動作を説明するフローチャート。
【図７】実施形態の情報機器（クレードル）におけるテーブル作成処理の動作を説明するフローチャート。
【図８】実施形態の情報機器（クレードル）におけるメッセージ送信処理の動作を説明するフローチャート。
【図９】実施形態の情報機器にＷｉ−Ｆｉ接続される電子機器におけるメッセージ受信処理の動作を説明するフローチャート。
【発明を実施するための形態】
【００１０】
以下、図面を参照し、実施の形態を説明する。
図１は、実施形態に係わる映像表示装置を示すブロック図である。
符号１は情報機器（クレードル）、符号２は電子機器（Ｐａｄ）、符号３は電子機器（携帯電話、Mobile Phone）である。
この実施の形態においては、情報機器（クレードル）１には、電子機器（Ｐａｄ）２および電子機器（携帯電話、Mobile Phone）３が電気的および機械的に接続され、情報機器（クレードル）１から電子機器（Ｐａｄ）２、電子機器（携帯電話、Mobile Phone）３に対し、電源が供給される。
【００１１】
また、情報機器（クレードル）１は、後述するように、Broadband Router（モデム）７に接続され、公衆電話回線で送信されるメッセージ（Ｆａｘメッセージや留守電メッセージ等）を取得することが可能である。
【００１２】
また、電子機器（Ｐａｄ）２および電子機器（携帯電話、Mobile Phone）３は上記のように、情報機器（クレードル）１と電気的および機械的に接続されており、上記情報機器（クレードル）１が取得したメッセージを電子機器（Ｐａｄ）２、電子機器（携帯電話、Mobile Phone）３に対し、送信することが可能である。
【００１３】
図２は、実施形態の情報機器に電子機器がＷｉ−Ｆｉ接続されるシステム構成の一例を示す図である。
符号４は電子機器Ａ（ＰＤＡ）、符号５は電子機器Ｂ（Smart Phone）、符号６は電子機器Ｃ（ＰＣ）、符号７はBroadband Router（モデム）である。
【００１４】
上記のように、情報機器（クレードル）１は、Broadband Router（モデム）７に接続され、公衆電話回線で送信されるメッセージ（Ｆａｘメッセージや留守電メッセージ等）を取得することが可能である。
【００１５】
そして、Broadband Router（モデム）７と情報機器（クレードル）１は、例えば、ＲＪ−４５規格に対応した８芯のケーブルでＬＡＮ接続される。また、ＲＪ−１１規格に対応した一般的な電話回線などで使われる６芯のケーブルで、公衆電話回線と接続される。
【００１６】
すなわち、情報機器（クレードル）１は、ＲＪ−１１規格のケーブルで公衆電話回線と、ＲＪ−４５規格のケーブルでＬＡＮ回線と接続され、電子機器（Ｐａｄ）２および電子機器（携帯電話、Mobile Phone）３へ電源を供給する。
【００１７】
ここでは、電子機器（携帯電話、Mobile Phone）３は、情報機器（クレードル）１とＤｅｔｃｔ（無線（１．９ＧＨｚ）、デジタル方式)で接続され、小型の液晶表示画面を備えている。また、電話通話モードでは、情報機器（クレードル）１と電子機器（Ｐａｄ）２間は上記Ｄｅｔｃｔで接続され、Ｆａｘメッセージや留守電メッセージは電子機器（Ｐａｄ）に記憶される。
【００１８】
電子機器（Ｐａｄ）２および電子機器（携帯電話、Mobile Phone）３は、上記のように、情報機器（クレードル）１と電気的および機械的に接続されるが、この実施の形態においては、さらに、Ｗｉ−Ｆｉ（無線）に対応し、情報機器（クレードル）１とＷｉ−Ｆｉで無線接続される。
【００１９】
また、この実施の形態においては、電子機器Ａ（ＰＤＡ）４、電子機器Ｂ（Smart Phone）５、電子機器Ｃ（ＰＣ）６もＷｉ−Ｆｉ（無線）に対応し、情報機器（クレードル）１とＷｉ−Ｆｉで無線接続される。
【００２０】
そして、後述するように、情報機器（クレードル）１はアクセスポイントして動作し、情報機器（クレードル）１とＷｉ−Ｆｉで無線接続される電子機器（Ｐａｄ２、Mobile Phone３、ＰＤＡ４、Smart Phone５、ＰＣ６等）は、情報機器（クレードル）１が取得した、例えば上記メッセージ（Ｆａｘメッセージや留守電メッセージ）等を、情報機器（クレードル）１を介して取得することが可能になる。
【００２１】
ここでＷｉ−Ｆｉについて説明する。Ｗｉ−Ｆｉ（ワイファイ、wireless fidelity）は、Wi-Fi Allianceによって無線LAN機器間の相互接続性が認証されたことを示す名称である。Ｗｉ−ＦｉはＷｉＦｉと表記されこともある。
【００２２】
現在、Ｗｉ−Ｆｉの機能は、ノートパソコンなどのモバイルコンピューティング機器や携帯ゲーム機、音楽プレイヤー、デジタルカメラ等の電子機器に搭載されている。
【００２３】
Ｗｉ−Ｆｉにより異なるメーカーの電子機器間での相互接続性が保証されるため、コンピュータ、携帯電話、PDAのような多様な電子機器が無線ＬＡＮを利用し、例えばアクセスポイントを経由し、インターネットへ接続できる。
【００２４】
また、Ｗｉ−Ｆｉにより相互接続性が保証されているアクセスポイントに接続することで、インターネットのほか、インターネット電話、ゲーム機器などの多様な無線ＬＡＮ機器がアクセスポイントに接続され、利用されている。
【００２５】
図３は、実施形態の情報機器（クレードル）の構成の一例を示すブロック図である。
符号１１はＷｉ−Ｆｉ制御部、符号１２は公衆電話回線通信制御部、符号１３はＣＰＵ、符号１４はＲＯＭ、符号１５はＲＡＭ、符号１６はフラッシュメモリ、符号１７は電源である。
【００２６】
情報機器（クレードル）１は、電源１７から電源が供給される。この電源１７は商用電源であっても良いし、バッテリーであっても良い。
情報機器（クレードル）１は、Ｗｉ−Ｆｉで上記電子機器と無線接続された無線通信をＷｉ−Ｆｉ制御部１１で受信し、ＣＰＵ１３に送信する。
また、情報機器（クレードル）１は、公衆電話回線で接続された公衆電話回線通信を公衆電話回線通信制御部１２で受信し、ＣＰＵ１３に送信する。
ＣＰＵ１３は、ＲＯＭ１４、ＲＡＭ１５、フラッシュメモリ１６等を用い、Ｗｉ−Ｆｉ制御部１１および公衆電話回線通信制御部１２を制御する。
この実施の形態においては、公衆電話回線を介して公衆電話回線通信制御部１２で受信されたメッセージ（Ｆａｘメッセージや留守電メッセージ等）は、例えばテキスト形式等に変換し、フラッシュメモリ１６に記憶される。
【００２７】
そして、例えば、Ｗｉ−Ｆｉで無線接続または機械的および電気的に接続された電子機器（Ｐａｄ）２の記憶部（図示せず）に、フラッシュメモリ１６に記憶されたメッセージ（Ｆａｘメッセージや留守電メッセージ等）を記憶する。
【００２８】
図４は、実施形態の情報機器にＷｉ−Ｆｉ接続される電子機器のメッセージ表示の一例を示す図である。
上記のように、この実施の形態においては、情報機器にＷｉ−Ｆｉ接続された電子機器は、情報機器１が公衆電話回線を介して取得したメッセージ（Ｆａｘメッセージや留守電メッセージ等）を情報機器１から取得し、出力することが可能である。
【００２９】
例えば、情報機器１は、電子機器Ａ（ＰＤＡ）からメッセージの送信要求を受信すると、電子機器（Ｐａｄ）２の記憶部に記憶されたテキスト形式のメッセージを読み出して電子機器Ａ（ＰＤＡ）に送信する。
【００３０】
電子機器Ａ（ＰＤＡ）は、このテキスト形式のメッセージを受信する。
ここでは、電子機器Ａ（ＰＤＡ）は、メッセージの表示出力に対応している。すなわち、上記テキスト形式のメッセージを表示出力するソフトウエアを備えている。
そして、このテキスト形式のメッセージを解読し、例えば、図４に示すように、表示出力する。
ここでは、「メッセージを表示します。」、「Ｆａｘメッセージ  ○○○○××××××××××」、「留守電メッセージ  ××○○××○○××××○○××」と表示されている。
【００３１】
なお、メッセージの表示出力は、このような表示に限られることはなく、例えば、受信したメッセージを音声に変換して出力することも可能である。
図５は、実施形態の情報機器（クレードル）において作成されるテーブルの一例を示す図である。
このテーブルに係る情報は、例えば、情報機器１と電子機器がＷｉ−Ｆｉ接続される度に取得され、テーブルが更新される。
符号２１を付した列は、情報機器１とＷｉ−Ｆｉ接続される電子機器欄である。ここでは、例えば、上記電子機器（Ｐａｄ）２、電子機器（携帯電話、Mobile Phone）３、電子機器Ａ（ＰＤＡ）４、電子機器Ｂ（Smart Phone）５、電子機器Ｃ（ＰＣ）６である。
【００３２】
符号２２を付した列は、それぞれの電子機器のＭａｃアドレスである。
ここでは、Ｍａｃアドレスは上記順にそれぞれ、「×××××」、「××○××」、「××××○」、「×○×××」、「×××○×」である。
符号２３を付した列は、それぞれの電子機器がＦａｘ受信可能か否かの情報である。
この電子機器がＦａｘ受信可能か否かは、例えば、対象の電子機器が上記情報機器から送信されるテキスト形式のメッセージを解読し、表示出力するソフトウエアを備えているか否かで判別する。
【００３３】
ここでは、Ｆａｘ受信可能か否かの情報は上記順にそれぞれ、「Ｙｅｓ」、「Ｙｅｓ」、「Ｙｅｓ」、「Ｙｅｓ」、「Ｎｏ」である。
符号２４を付した列は、それぞれの電子機器が留守電受信可能か否かの情報である。
この電子機器が留守電受信可能か否かは、例えば、対象の電子機器が上記情報機器から送信される留守電に係るメッセージを解読し、音声や映像に表示出力するソフトウエアを備えているか否かで判別する。
【００３４】
ここでは、Ｆａｘ受信可能か否かの情報は上記順にそれぞれ、「Ｙｅｓ」、「Ｙｅｓ」、「Ｙｅｓ」、「Ｎｏ」、「Ｎｏ」である。
図６は、実施形態の情報機器にＷｉ−Ｆｉ接続される電子機器（Pad）において行われるメッセージ（Ｆａｘ／留守電）受信処理の動作を説明するフローチャートである。
【００３５】
符号Ｓ１００は、ここでの開始ステップである。続いて、ステップＳ１０１へ進む。
ステップＳ１０１は、情報機器（クレードル）はＦａｘや留守電等のメッセージ（メッセージ）を受信し、フラッシュメモリに蓄積保存するステップである。続いて、ステップＳ１０２へ進む。
【００３６】
ステップＳ１０２は、メッセージを電子機器（Ｐａｄ）２に送信するかを判別するステップである。メッセージを電子機器（Ｐａｄ）２に送信すると判別される場合はステップＳ１０３へ進む（Ｙｅｓ）。メッセージを電子機器（Ｐａｄ）２に送信すると判別されない場合はここでの処理を繰り返す（Ｎｏ）。
【００３７】
ステップＳ１０３は、情報機器１と電子機器（Ｐａｄ）２はＷｉ−Ｆｉ通信可能かを判別するステップである。情報機器１と電子機器（Ｐａｄ）２はＷｉ−Ｆｉ通信可能であると判別される場合はステップＳ１０４へ進む（Ｙｅｓ）。情報機器１と電子機器（Ｐａｄ）２はＷｉ−Ｆｉ通信可能であると判別されない場合はここでの処理を繰り返す（Ｎｏ）。
【００３８】
ステップＳ１０４は、電子機器（Ｐａｄ）２にＷｉ−Ｆｉでメッセージを送信するステップである。続いて、ステップＳ１０５へ進む。
ステップＳ１０５は、電子機器（Ｐａｄ）２はメッセージを受信し、保存するステップである。続いて、ステップＳ１０６へ進む。
ステップＳ１０６は、終了ステップであり、ここでの処理は終了する。
図７は、実施形態の情報機器（クレードル）におけるテーブル作成処理の動作を説明するフローチャートである。
符号Ｓ２００は、ここでの開始ステップである。続いて、ステップＳ２０１へ進む。
ステップＳ２０１は、情報機器１が例えば上記Ｗｉ−Ｆｉに対応するいずれかの電子機器とＷｉ−Ｆｉ接続したかを判別するステップである。情報機器１がＷｉ−Ｆｉに対応する電子機器とＷｉ−Ｆｉ接続したと判別される場合はステップＳ２０２へ進む（Ｙｅｓ）。情報機器１がＷｉ−Ｆｉに対応する電子機器とＷｉ−Ｆｉ接続したと判別される場合はここでの処理を繰り返す（Ｎｏ）。
【００３９】
ステップＳ２０２は、Ｗｉ−Ｆｉ接続した電子機器のメッセージ処理能力を上記のようにチェックするステップである。続いて、ステップＳ２０３へ進む。
ステップＳ２０３は、上記のように、Ｗｉ−Ｆｉ接続した電子機器にＦａｘメッセージを処理する能力があるかを判別するステップである。Ｗｉ−Ｆｉ接続した電子機器にＦａｘメッセージを処理する能力があると判別される場合はステップＳ２０４へ進む（Ｙｅｓ）。Ｗｉ−Ｆｉ接続した電子機器にＦａｘメッセージを処理する能力がないと判別される場合はステップＳ２０５へ進む（Ｎｏ）。
【００４０】
ステップＳ２０４は、情報機器１に設定されたテーブルのＷｉ−Ｆｉ接続した電子機器のＦａｘ欄にＦａｘ受信可能、ここでは「Ｙｅｓ」を記録するステップである。続いて、ステップＳ２０６へ進む。
【００４１】
ステップＳ２０５は、情報機器１に設定されたテーブルのＷｉ−Ｆｉ接続した電子機器のＦａｘ欄にＦａｘ受信不可能、ここでは「Ｎｏ」を記録するステップである。続いて、ステップＳ２０６へ進む。
【００４２】
ステップＳ２０６は、上記のように、Ｗｉ−Ｆｉ接続した電子機器に留守電メッセージを処理する能力があるかを判別するステップである。Ｗｉ−Ｆｉ接続した電子機器に留守電メッセージを処理する能力があると判別される場合はステップＳ２０７へ進む（Ｙｅｓ）。Ｗｉ−Ｆｉ接続した電子機器に留守電メッセージを処理する能力がないと判別される場合はステップＳ２０８へ進む（Ｎｏ）。
【００４３】
ステップＳ２０７は、上記テーブルのＷｉ−Ｆｉ接続した電子機器の留守電欄に留守電受信可能「Ｙｅｓ」を記録するステップである。続いて、ステップＳ２０９へ進む。
【００４４】
ステップＳ２０８は、上記テーブルのＷｉ−Ｆｉ接続した電子機器の留守電欄に留守電受信不可能「Ｎｏ」を記録するステップである。続いて、ステップＳ２０９へ進む。
【００４５】
ステップＳ２０９は、終了ステップであり、ここでの処理は終了する。
図８は、実施形態の情報機器（クレードル）におけるメッセージ送信処理の動作を説明するフローチャートである。
符号Ｓ３００は、ここでの開始ステップである。続いて、ステップＳ３０１へ進む。
ステップＳ３０１は、情報機器（クレードル）と上記電子機器がＷｉ−Ｆｉ接続するステップである。続いて、ステップＳ３０２へ進む。
ステップＳ３０２は、対象の電子機器とＷｉ−Ｆｉ接続可能かを判別するステップである。対象の電子機器とＷｉ−Ｆｉ接続可能であると判別される場合はステップＳ３０３へ進む（Ｙｅｓ）。対象の電子機器とＷｉ−Ｆｉ接続可能であると判別されない場合はここでの処理を繰り返す（Ｎｏ）。
【００４６】
ステップＳ３０３は、上記対象の電子機器からメッセージの送信要求があるかを判別するステップである。上記対象の電子機器からメッセージの送信要求があると判別される場合はステップＳ３０４へ進む（Ｙｅｓ）。上記対象の電子機器からメッセージの送信要求があると判別されない場合はここでの処理を繰り返す（Ｎｏ）。
【００４７】
ステップＳ３０４は、情報機器（クレードル）１が設定されたテーブルを参照し、対象電子機器のメッセージ処理能力を確認するステップである。続いて、ステップＳ３０５へ進む。
【００４８】
ステップＳ３０５は、対象電子機器がＦａｘ受信可能かを判別するステップである。対象電子機器がＦａｘ受信可能であると判別される場合はステップＳ３０６へ進む（Ｙｅｓ）。対象電子機器がＦａｘ受信可能であると判別されない場合はステップＳ３０７へ進む（Ｎｏ）。
【００４９】
ステップＳ３０６は、例えば、電子機器（Ｐａｄ）２に保存されているＦａｘメッセージを対象電子機器に送信するステップである。なお、電子機器（Ｐａｄ）２に保存されているＦａｘメッセージに代え、上記情報機器１に保存されているＦａｘメッセージを対象電子機器に送信することも可能である。続いて、ステップＳ３０８へ進む。
【００５０】
ステップＳ３０７は、電子機器（Ｐａｄ）２に保存されているＦａｘメッセージを電子機器に送信しないステップである。続いて、ステップＳ３０８へ進む。
ステップＳ３０８は、対象電子機器が留守電受信可能かを判別するステップである。対象電子機器が留守電受信可能であると判別される場合はステップＳ３０９へ進む（Ｙｅｓ）。対象電子機器が留守電受信可能であると判別されない場合はステップＳ３１０へ進む（Ｎｏ）。
【００５１】
ステップＳ３０９は、電子機器（Ｐａｄ）２に保存されている留守電メッセージを電子機器に送信するステップである。上記と同様に、電子機器（Ｐａｄ）２に保存されている留守電メッセージに代え、上記情報機器１に保存されている留守電メッセージを対象電子機器に送信することも可能である。続いて、ステップＳ３１１へ進む。
【００５２】
ステップＳ３１０は、電子機器（Ｐａｄ）２に保存されている留守電メッセージを電子機器に送信しないステップである。続いて、ステップＳ３１１へ進む。
ステップＳ３１１は、終了ステップであり、ここでの処理は終了する。
図９は、実施形態の情報機器にＷｉ−Ｆｉ接続される電子機器におけるメッセージ受信処理の動作を説明するフローチャートである。
符号Ｓ４００は、ここでの開始ステップである。続いて、ステップＳ４０１へ進む。
ステップＳ４０１は、対象の電子機器が情報機器（クレードル）１とＷｉ−Ｆｉ接続するステップである。続いて、ステップＳ４０２へ進む。
ステップＳ４０２は、情報機器（クレードル）に電子機器（Ｐａｄ）に保存されたメッセージ（Ｆａｘメッセージや留守電メッセージ）を送信要求するステップである。上記と同様に、電子機器（Ｐａｄ）２に保存されているメッセージ（Ｆａｘメッセージや留守電メッセージ）に代え、上記情報機器１に保存されているメッセージ（Ｆａｘメッセージや留守電メッセージ）を対象電子機器に送信することも可能である。続いて、ステップＳ４０３へ進む。
【００５３】
ステップＳ４０３は、情報機器（クレードル）１から電子機器（Ｐａｄ）に保存されたメッセージ受信するステップである。続いて、ステップＳ４０４へ進む。
ステップＳ４０４は、受信したメッセージを出力するステップである。続いて、ステップＳ４０５へ進む。
ステップＳ４０５は、終了ステップであり、ここでの処理は終了する。
なお、上記説明では無線通信としてＷｉ−Ｆｉを用いる例を説明したが、この実施の形態においてはこれに限定されるものではなく、例えば無線通信の他の例としてＢｌｕｅＴｏｏｔｈ等を用いることも可能である。
【００５４】
上記のように構成することによって、この発明の実施の形態においては、電子機器に接続されない回線等で送信されるメッセージを簡易に取得することが可能になる。
【００５５】
なお、上記実施形態は、記述そのものに限定されるものではなく、実施段階では、その趣旨を逸脱しない範囲で、構成要素を種々変形して具体化することが可能である。
【符号の説明】
【００５６】
１…情報機器（クレードル）、２…電子機器（Ｐａｄ）、３…電子機器（Mobile Phone）、４…電子機器Ａ（ＰＤＡ）、５…電子機器Ｂ（Smart Phone）、６…電子機器Ｃ（ＰＣ）、７…Broadband Router（モデム）。
【図１】
2012129882.tif 000003
【図２】
2012129882.tif 000004
【図３】
2012129882.tif 000005
【図４】
2012129882.tif 000006
【図５】
2012129882.tif 000007
【図６】
2012129882.tif 000008
【図７】
2012129882.tif 000009
【図８】
2012129882.tif 000010
【図９】
2012129882.tif 000011